(57)【要約】【課題】植木鉢内に植えられた植物へ、毎日、指定時刻により指定した時間の間、自動的に水または液肥等の液体を供給することができると共に、装置全体をコンパクトに製作できて任意な載置場所が得られることができる植物用給液装置を提供する。【解決手段】液体ｃを密封状態に収容した液体槽１を植木鉢ｂ１に近接させて設けて、該液体槽内にこの液体槽の液体を該液体槽外部へ送り出す送出手段２を設け、この送出手段へその一端部を接続させその他端部を植木鉢内に設けた給液ノズル７に給液管３を接続して、液体槽に対して補充するための液体を収容した副液体槽４を液体槽に近接して設け、液体槽の液体中へその一端部を臨ませその他端部を副液体槽内の液体中に接続管５を臨ませと共に、送出手段に植物に対して間隔的に一定量の液体の供給制御を行う制御手段６を接続させる。【選択図】    図１
2005192456.tif 000002
【特許請求の範囲】
【請求項１】
植木鉢内に植えられた植物へ自動的に水または液肥等の液体を供給する植物用給液装置にあって、
前記植木鉢に近接させて設けて前記液体を密封状態に収容した液体槽と、該液体槽内に設けてこの液体槽の液体を該液体槽外部へ送り出す送出手段と、この送出手段へその一端部を接続させ、その他端部を前記植木鉢内に設けた給液ノズルに接続した給液管と、前記液体槽に近接して設けてこの液体槽に対して補充するための前記液体を収容した副液体槽と、前記液体槽の液体中へその一端部を臨ませ、その他端部を前記副液体槽内の前記液体中に臨ませた接続管と、前記送出手段に接続させて前記植物に対して間隔的に一定量の前記液体の供給制御を行う制御手段とを備えさせ、
前記送出手段は水中ポンプであることを特徴とする植物用給液装置。
【請求項２】
植木鉢内に植えられた植物へ自動的に水または液肥等の液体を供給する植物用給液装置にあって、
前記植木鉢に近接させて設けて前記液体を密封状態に収容した可撓性を有する液体槽と、該液体槽に設けてこの液体槽の液体を該液体槽外部へ送り出す送出手段と、前記液体槽内にその一端部を接続させその他端部を前記植木鉢内に設けた給液ノズルに接続した給液管と、この給液管の途中に設けて該給液管を流動する前記液体の供給と供給停止とを行う切換手段と、この切換手段に接続させて前記植物に対して間隔的に一定量の前記液体の供給制御を行う制御手段とを備えさせ、
前記送出手段は、前記液体槽の上部に当接して該液体槽に対して圧縮圧を与えることを特徴とする植物用給液装置。
【請求項３】
副液体槽は、複数設けてそれぞれ内部に水または液肥等の液体を収容し、
一端部を液体槽の液体中へ臨ませた接続管は、その他端部へ複数本に分岐させた分岐管を設けてあって、
これら分岐管を、前記複数の副液体槽内の液体中にそれぞれ臨ませたことを特徴とする請求項１記載の植物用給液装置。
【請求項４】
植木鉢の下部に液体受け部材を設けて、該液体受け部材に液体回収槽を接続させたことを特徴とする請求項１又は２記載の植物用給液装置。
【請求項５】
送出手段は、液体槽の上部に当接して該液体槽に対して圧縮圧を与えるものであって、錘又は作動手段により操作される押圧体であることを特徴とする請求項２記載の植物用給液装置。
【発明の詳細な説明】
【技術分野】
【０００１】
本発明は、植木鉢内に植えられた植物へ、毎日、指定時刻により指定した時間の間（指定した供給量）、自動的に水または液肥等の液体を供給することができる植物用給液装置に関する。
【背景技術】
【０００２】
従来、プランター内の培地または土壌の各所に水または液肥を過不足なく均等に供給することができるプランター用の給水装置が知られている（例えば、特許文献１参照。）。
【０００３】
【特許文献１】特開平１０−１５０８６８号公報
【０００４】
しかしながら、このプランター用の給水装置は、水槽内にプランターを浮かせた状態で支持させて、この水槽に対して貯水タンクの水や液肥タンクの液肥をポンプなどの供給手段により供給させた構成であるため、装置全体が大掛かりとなって、この装置を設置できる場所は極めて限定され、一般家庭や事業所等において有効スペースに限りのあるところでは十分に利用することができない。
【０００５】
また、植物を植えたプランターは、常時、水や液肥が収容された水槽内に浸漬された状態で設けられているため、過度な水分供給により根腐れ等の植物育成のためには大きな問題点を有するものであった。
【発明の開示】
【発明が解決しようとする課題】
【０００６】
本発明は、前記した問題点を解決するためになされたもので、液体を密封状態に収容した液体槽を植木鉢に近接させて設けて、該液体槽内にこの液体槽の液体を該液体槽外部へ送り出す送出手段を設け、この送出手段へその一端部を接続させ、その他端部を前記植木鉢内に設けた給液ノズルに給液管を接続して、液体槽に対して補充するための前記液体を収容した副液体槽を液体槽に近接して設け、液体槽の液体中へその一端部を臨ませその他端部を前記副液体槽内の前記液体中に接続管を臨ませと共に、送出手段に前記植物に対して間隔的に一定量の前記液体の供給制御を行う制御手段を接続させることにより、植木鉢内に植えられた植物へ、毎日、指定時刻により指定した時間の間、自動的に水または液肥等の液体を供給することができると共に、装置全体をコンパクトに製作できて任意な載置場所が得られることができる植物用給液装置を提供することを目的としている。
【課題を解決するための手段】
【０００７】
前記した目的を達成するための本発明の手段は、
植木鉢内に植えられた植物へ自動的に水または液肥等の液体を供給する植物用給液装置にあって、
前記植木鉢に近接させて設けて前記液体を密封状態に収容した液体槽と、該液体槽内に設けてこの液体槽の液体を該液体槽外部へ送り出す送出手段と、この送出手段へその一端部を接続させ、その他端部を前記植木鉢内に設けた給液ノズルに接続した給液管と、前記液体槽に近接して設けてこの液体槽に対して補充するための前記液体を収容した副液体槽と、前記液体槽の液体中へその一端部を臨ませ、その他端部を前記副液体槽内の前記液体中に臨ませた接続管と、前記送出手段に接続させて前記植物に対して間隔的に一定量の前記液体の供給制御を行う制御手段とを備えさせ、
前記送出手段は水中ポンプである植物用給液装置の構成にある。
【０００８】
植木鉢内に植えられた植物へ自動的に水または液肥等の液体を供給する植物用給液装置にあって、
前記植木鉢に近接させて設けて前記液体を密封状態に収容した可撓性を有する液体槽と、該液体槽に設けてこの液体槽の液体を該液体槽外部へ送り出す送出手段と、前記液体槽内にその一端部を接続させその他端部を前記植木鉢内に設けた給液ノズルに接続した給液管と、この給液管の途中に設けて該給液管を流動する前記液体の供給と供給停止とを行う切換手段と、この切換手段に接続させて前記植物に対して間隔的に一定量の前記液体の供給制御を行う制御手段とを備えさせ、
前記送出手段は、前記液体槽の上部に当接して該液体槽に対して圧縮圧を与える植物用給液装置の構成にある。
【０００９】
副液体槽は、複数設けてそれぞれ内部に水または液肥等の液体を収容し、
一端部を液体槽の液体中へ臨ませた接続管は、その他端部へ複数本に分岐させた分岐管を設けてあって、
これら分岐管を、前記複数の副液体槽内の液体中にそれぞれ臨ませる。
【００１０】
植木鉢の下部に液体受け部材を設けて、該液体受け部材に液体回収槽を接続させる。
【００１１】
送出手段は、液体槽の上部に当接して該液体槽に対して圧縮圧を与えるものであって、錘又は作動手段により操作される押圧体である。
【発明の効果】
【００１２】
本発明は、植木鉢内に植えられた植物へ、毎日、指定時刻により指定した時間の間、自動的に水または液肥等の液体を供給することができると共に、装置全体をコンパクトに製作できて任意な載置場所が得られることができる。
【発明を実施するための最良の形態】
【００１３】
次に、本発明に関する植物用給液装置の一実施例を図面に基づいて説明する。
図１〜図４においてＡは、植木鉢ｂ内に植えられた植物ｂ１へ自動的に水または液肥等の液体ｃを供給する植物用給液装置であって、図１〜図３においては第一の実施例を示すものであり、液体槽１と、送出手段２と、給液管３と、副液体槽４と、接続管５と、制御手段６とにより基本的に構成される。
【００１４】
そして、前記した液体槽１は、植木鉢ｂに近接させて設けて、液体ｃを密封状態に収容してある。すなわち、この液体槽１内の該液体ｃが外部へ繰り出されることにより、その分、液体槽１内の空間部は負圧になるように構成されている。
【００１５】
前記した送出手段２は、液体槽１内において少なくともその吸引孔２ａが液体ｃ中に埋没するように設けて、この液体槽１の液体ｃを吸引し、該液体槽１の外部へ送り出すもので、慣用の電動式等の水中ポンプを用いて所定の圧力で液体ｃが送り出される。
【００１６】
前記した給液管３は、送出手段２の吐出体２ｂへその一端部を接続させ、その他端部を植木鉢ｂ内に設けた給液ノズル７に接続してあって、内部に、液体ｃが任意に流動し得る通路が形成されている。
また、給液ノズル７は、一本または複数本が植木鉢ｂの培地や栽培水，用土等の育成床ｂ２内に差し込んだり挿入してあって、この育成床ｂ２の全体へ万遍なく液体ｃが行き渡るように配されている。
更に、この給液ノズル７には、可撓性を有するそれぞれの配管８により給液管３と接続することで、育成床ｂ２への差し込み（挿入）に際して、作業性が良好となる。
【００１７】
なお、前記した植木鉢ｂは、上部が植物ｂ１を植えるための大きな開口部が形成され、底部には、液体ｃの供給に際して過剰となった液体ｃが下方へ垂れ落ちるように水抜き孔ｂ３を複数箇所に設けてある。
【００１８】
前記した副液体槽４は、液体槽１に近接して設けて、該副液体槽４の内部に、前記液体槽１に対して補充するための水または液肥等の液体ｃを収容してあるもので、市場流通している一般的な飲料等のペットボトル等が用いることができる。
【００１９】
前記した接続管５は、液体槽１の液体ｃ中へその一端部を臨ませ（送出手段２の吐出体２ｂに接続させ）、その他端部を副液体槽４内の液体ｃ中に臨ませて、副液体槽４内の液体ｃは、この接続管５を介して液体槽１と連通するように設けられている。
【００２０】
なお、この副液体槽４は、図２に示すように、内部に水または液肥等の液体ｃをそれぞれ収容したものを複数設けることができる。
この複数に副液体槽４，４…を設けた場合には、一端部を液体槽の液体中へ臨ませた（送出手段２の吐出体２ｂに接続させた）接続管５は、その他端部を複数本を分岐させた分岐管５ａ，５ａ…を設けてある。
そして、これら分岐管５ａ，５ａ…の先端部を複数の副液体槽４，４…内の液体ｃ中にそれぞれ臨ませてあって、これら複数の副液体槽４，４…内の液体ｃは接続管５を介して液体槽１と連通するように設けられている。
また、液体槽１と副液体槽４は同一のものを使用しても構わないもので、この場合、液体槽１が複数用意されることになるもので、そのうちの一つの液体槽１内に送出手段２および給液管３が接続された構成となる。
【００２１】
前記した制御手段６は、送出手段２に接続させて植物ｂ１に対して一定の時間間隔で、一定量の液体ｃの供給制御を行うもので、乾電池（充電電池も含む）パックや電灯線等の電源９により作動される慣用のコントローラなどが用いられる。
また、この制御手段６は、タイマー（図示せず）を内蔵してあって、所定の設定により、送出手段２の起動と起動停止とを任意に時間制御およびその作動時間の制御させることができ、更に、プログラムを組んだ日々の給液工程のサイクル制御を行うこともできる。
【００２２】
また、植木鉢ｂの下部に液体受け部材１０を設けて、該液体受け部材１０に液体回収槽１１を接続させて、植木鉢ｂの水抜き孔ｂ３から垂れ落ちた過剰となった液体ｃをこの液体受け部材１０に受け集め、該液体受け部材１０に設けた排出体１２から排出管１３を介して液体回収槽１１に適宜回収する。
なお、該液体回収槽１１は、副液体槽４と兼用使用しても構わないもので、この場合、接続管５の分岐管５ａを液体回収槽１１内に挿入することで、液体槽１への補充供給が行える。
更に、この液体回収槽１１は一個または複数個からなる。
【００２３】
この植物用給液装置Ａにあって、液体槽１と、送出手段２と、給液管３と、副液体槽４と、接続管５と、制御手段６とは、図３に示すように、箱状に形成した収納体１４内にまとめて収納することにより、装置全体がコンパクトとなり持ち運びが容易となると共に、装置Ａの設置に際して場所を取らない。
また、この収納体１４の適所に扉１５により開閉される開口部を設けることで、装置Ａのメンテナンスや液体槽１や副液体槽４の洗浄や交換等が行える。
【００２４】
したがって、前記のように構成される本発明に係る第一実施例の植物用給液装置Ａは、以下に述べる作用を奏する。
例えば、本発明実施例の植物用給液装置Ａを家庭等の適所に設置する場合には、液体槽１と、送出手段２と、給液管３と、副液体槽４と、接続管５と、制御手段６と収納された収納体１４を選んだ場所に載置し、該収納体１４の上部に植物ｂ１を植えた植木鉢ｂを乗せる。また、育成床ｂ２内に給液ノズル７を差し込んで（挿入して）給液管３の配管８をこの給液ノズル７に接続する。
なお、液体槽１と、送出手段２と、給液管３と、副液体槽４と、接続管５と、制御手段６とが収納された収納体１４は、ユニット化して植木鉢ｂと別体化することができ、該植木鉢ｂとは別の場所に載置し、給液管３あるいは配管８を延長することで、植木鉢ｂは任意の制約を受けない場所に設けることもできる。
【００２５】
そして、制御手段６において日々の給液工程のサイクルを設定して、該制御手段６を駆動すれば、そのプログラムに沿って植木鉢ｂの植物ｂ１には液体ｃの供給が行われる。（なお、人為的にスイッチ操作により送出手段２を作動させてもよい。））
【００２６】
すなわち、液体槽１内に収容された液体ｃは、水中ポンプによる送出手段２によって給液管３から配管８を経て給液ノズル７に圧送されるので、育成床ｂ２を介して植木鉢ｂの植物ｂ１に液体ｃが供給される。
このとき、液体槽１内の液体ｃが外部へ取り出されることにより、該液体槽１内はその取り出された容積分が負圧となって副液体槽４への吸引力が働き、この副液体槽４内の液体ｃが、接続管５を介して液体槽１内に前記供給によって減少した分が補充され、該液体槽１内が一定の液体ｃ液面に保持される。
【００２７】
この副液体槽４を、図２に示すように、複数に設けることで、できるだけ少ない液体補充回数によって長期期間の液体供給が行えるものである。また、このとき、複数の副液体槽４，４…は、液体槽１内の負圧による液体吸引によって、各複数の副液体槽４，４…および液体槽１の液面は均等の高さとなる。
【００２８】
また、植木鉢ｂの水抜き孔ｂ３から垂れ落ちた過剰な液体ｃは、植木鉢ｂの下部に設けた液体受け部材１０に一旦集められ、更に、該液体受け部材１０に接続させた液体回収槽１１へ排出管１３を介して送り込むことにより、植木鉢ｂに植えられた植物ｂ１は水分過剰による根腐れなどを起こすことなく健全に生育することができる。
また、この液体回収槽１１に集められた過剰液体ｃは、所定量に溜まったら、副液体槽４として利用できるもので、図示してない、ろ過手段を備えて不純物などの異物を取り除いたり液体ｃの性状調整などを行うこともでき、この液体回収槽１１は、副液体槽４と同様の容量のペットボトルなどにより成形しておけば便利である。
【００２９】
次に、本発明に関する植物用給液装置の第二の実施例を、図４〜図５により示すものであり、植木鉢ｂ内に植えられた植物ｂ１へ自動的に水または液肥等の液体ｃを供給するもので、植木鉢ｂに近接させて設けて液体ｃを密封状態に収容した可撓性を有する液体槽２１と、該液体槽２１に設けてこの液体槽２１の液体ｃを該液体槽２１外部へ送り出す送出手段２と、液体槽２１内にその一端部を接続させその他端部を植木鉢ｂ内に設けた給液ノズル７に接続した給液管３と、この給液管３の途中に設けて該給液管３を流動する液体ｃの供給と供給停止とを行う切換手段２０と、この切換手段２０に接続させて植物ｂ１に対して間隔的に一定量の液体ｃの供給制御を行う制御手段６とを備えさせたものである。
【００３０】
この構成のうち、給液ノズル７に接続した給液管３と、制御手段６および液体回収槽１１は、前記した第一実施例と同様に構成されるため、同一部材には同一符号を付して、その詳細な構成および作用・効果の説明は該第一実施例を援用し省略する。
【００３１】
この実施例は、液体槽２１と、この液体槽２１から液体ｃを植物ｂ１へ圧送する送出手段２の構成が特徴的である。
すなわち、前記した液体槽２１は、可撓性を有する、例えば、プラスチックや金属箔等のシート・フィルムにより成形された包装袋等が用いられるもので、その外形を比較的自由に凹んだり撓んだりさせることができる。
また、この液体槽２１の内部には、給液管３の一端部である送液部３ａを、液体槽２１の適所に設けた接続部２１ａより挿入してある。
【００３２】
前記した送出手段２は、液体槽２１の上部に当接して該可撓性を有する液体槽２１に対して圧縮圧（押圧力）を与えるもので、図４に示すように、液体槽２１の上部においた押圧板２２を介して載置した一定の重量を有する錘２３であったり、図５に示すように、流体シリンダやネジ送り体などの作動手段２４により操作される押圧体２５が用いられるもので、更には、図示してない、液体槽２１の外周部を絞ることでその内容積を減少させる手段など、液体槽２１に対して圧縮圧を与える手段であれば任意のものが採用し得る。
【００３３】
なお、給液管３の途中には、電源９を接続させた制御手段６によって電気的に制御される弁等の切換手段２０が設けられている。
【００３４】
したがって、前記のように構成される本発明に係る第二実施例の植物用給液装置Ａは、以下に述べる作用を奏する。
室内や屋外の適所に設置した植物用給液装置Ａは、液体槽１の上部には押圧板２２を介して送出手段２を当接しておき、該液体槽１には、すなわち、内部の液体ｃには所定の圧縮圧を与えておくもので、液体ｃは、送液部３ａから該給液管３における切換手段２０の入口側まで所定圧力をもって達している。
また、あらかじめ、制御手段６に対して日々の給液工程のサイクルをプログラムしておく。
【００３５】
そして、植物ｂ１へ液体ｃを供給するときは、制御手段６を作動させると、そのプログラムによって、給液管３の途中に設けた切換手段２０が操作され、給液管３の流動が可能となるので、送出手段２によって押圧されている液体槽１は給液管３の送液部３ａから該給液管３，配管８を経て、給液ノズル７へ加圧状態で送り込まれ、植木鉢ｂの植物ｂ１に液体ｃが供給される。
【００３６】
また、例えば、一定時間で一定量の液体ｃが給液管３，配管８を経て、給液ノズル７へ供給されれば、制御手段６が作動して切換手段２０が給液管３の液体流動を遮断し、給液ノズル７への液体ｃの供給が停止される。
【図面の簡単な説明】
【００３７】
【図１】本発明に関する植物用給液装置の第一実施例の概略を示す縦断した正面図である。
【図２】図１における植物用給液装置おいて副液体槽を複数設けた例を示す縦断した正面図である。
【図３】図１における植物用給液装置をユニット化して示す正面図である。
【図４】本発明に関する植物用給液装置の第二実施例の概略を示す縦断した正面図である。
【図５】図４における植物用給液装置の他の例の送出手段を示す要部の縦断した正面図である。
【符号の説明】
【００３８】
Ａ…植物用給液装置．ｂ…植木鉢．ｂ１…植物．ｃ…液体．１，２１…液体槽．２…送出手段．３…給液管．４…副液体槽．５…接続管．６…制御手段．７…給液ノズル．２０…切換手段．
【図１】
2005192456.tif 000003
【図２】
2005192456.tif 000004
【図３】
2005192456.tif 000005
【図４】
2005192456.tif 000006
【図５】
2005192456.tif 000007